(57)【特許請求の範囲】
【請求項１】
基地局装置から受信される電力制御情報に基づいて該基地局装置への送信電力を制御する移動局装置であって、
複数の前記基地局装置から受信された複数の前記電力制御情報を重み付け合成する重み付け合成手段と、
該重み付け合成手段による合成結果に基づいて該基地局装置への送信電力を制御する送信電力制御手段と、
前記複数の基地局装置からの受信品質を測定する受信品質測定手段とをそなえ、
該重み付け合成手段が、
前記複数の基地局装置のうち、該受信品質測定手段で測定された受信品質が最も高い基地局装置からの電力制御情報についての重み付け係数を他の基地局装置からの電力制御情報についての重み付け係数よりも高く設定する第１重み付け処理部と、
該受信品質測定手段で測定された受信品質が高い基地局装置からの電力制御情報についての重み付け係数を前記受信品質の低い基地局装置からの電力制御情報についての重み付けよりも高く設定する第２重み付け処理部と、
該受信品質測定手段で測定された受信品質のうち所定の閾値を超える基地局装置の数に応じて動作させる前記重み付け処理部を選択する選択部とをそなえて構成されたことを特徴とする、移動局装置。
【請求項２】
該選択部が、
前記閾値を超える基地局装置が１つである場合に該第１重み付け処理部を選択し、前記閾値を超える基地局装置が２以上ある場合に該第２重み付け処理部を選択すべく構成されたことを特徴とする、請求項１記載の移動局装置。
【請求項３】
移動局装置において、基地局装置から受信される電力制御情報に基づいて該基地局装置への送信電力を制御する送信電力制御方法であって、
複数の前記基地局装置から受信された複数の前記電力制御情報を重み付け合成し、
その合成結果に基づいて該基地局装置への送信電力を制御し、
前記複数の基地局装置からの受信品質を測定し、
前記複数の基地局装置のうち、前記測定した受信品質が最も高い基地局装置からの電力制御情報についての重み付け係数を他の基地局装置からの電力制御情報についての重み付け係数よりも高く設定する第１重み付け処理モードと、前記測定した受信品質が高い基地局装置からの電力制御情報についての重み付け係数を前記受信品質の低い基地局装置からの電力制御情報についての重み付けよりも高く設定する第２重み付け処理モードとを、前記測定した受信品質のうち所定の閾値を超える基地局装置の数に応じて選択することを特徴とする、移動局装置における送信電力制御方法。
【請求項４】
前記閾値を超える基地局装置が１つである場合に該第１重み付け処理モードを選択し、前記閾値を超える基地局装置が２以上ある場合に該第２重み付け処理モードを選択することを特徴とする、請求項３記載の移動局装置における送信電力制御方法。
【請求項５】
基地局装置から受信される電力制御情報に基づいて該基地局装置への送信電力を制御する移動局装置であって、
複数の前記基地局装置から受信された複数の前記電力制御情報を重み付け合成する重み付け合成手段と、
該重み付け合成手段による合成結果に基づいて該基地局装置への送信電力を制御する送信電力制御手段と、
前記複数の基地局装置からの受信品質を測定する受信品質測定手段とをそなえ、
該重み付け合成手段が、
前記複数の基地局装置のうち、該受信品質測定手段で測定された受信品質が最も高い基地局装置からの電力制御情報についての重み付け係数を他の基地局装置からの電力制御情報についての重み付け係数よりも高く設定する第１重み付け処理部と、
該受信品質測定手段で測定された受信品質が高い基地局装置からの電力制御情報についての重み付け係数を前記受信品質の低い基地局装置からの電力制御情報についての重み付けよりも高く設定する第２重み付け処理部と、
該第１重み付け処理部で設定された重み付け係数と該第２重み付け処理部で設定された重み付け係数とを合成する重み付け係数合成部とをそなえて構成されたことを特徴とする、移動局装置。
【請求項６】
移動局装置において、基地局装置から受信される電力制御情報に基づいて該基地局装置への送信電力を制御する送信電力制御方法であって、
複数の前記基地局装置から受信された複数の前記電力制御情報を重み付け合成し、
その合成結果に基づいて該基地局装置への送信電力を制御し、
前記複数の基地局装置からの受信品質を測定し、
第１重み付け処理モードにおいて、前記複数の基地局装置のうち、前記測定した受信品質が最も高い基地局装置からの電力制御情報についての重み付け係数を他の基地局装置からの電力制御情報についての重み付け係数よりも高く設定するとともに、第２重み付け処理モードにおいて、前記測定した受信品質が高い基地局装置からの電力制御情報についての重み付け係数を前記受信品質の低い基地局装置からの電力制御情報についての重み付けよりも高く設定し、
該第１重み付け処理モードにおいて設定された重み付け係数と該第２重み付け処理モードにおいて設定された重み付け係数とを合成することを特徴とする、移動局装置における送信電力制御方法。
【発明の詳細な説明】
【技術分野】
【０００１】
本発明は、移動局装置及び同装置における送信電力制御方法に関し、例えば、移動通信システムにおける伝送方式の一つであるＨＳＤＰＡ（High Speed Downlink Packet Access）伝送方式を採用したシステムに用いて好適な技術に関する。
【背景技術】
【０００２】
３ＧＰＰ（３rd Generation Partnership Project）で、第３世代移動通信システムの１つの方式であるＷ−ＣＤＭＡ（Wideband-Code Division Multiple Access）方式の標準化が行なわれている。そして、標準化のテーマの１つとして下りリンクで最大約１４Ｍｂｐｓの伝送速度を提供するＨＳＤＰＡが規定されている。
ＨＳＤＰＡでは、適応符号化変調方式を採用しており、例えば、ＱＰＳＫ変調方式と１６値ＱＡＭ方式とを基地局、移動局装置（以下、移動局または移動機ともいう）間の無線環境に応じて適応的に切り換えることを特徴としている。
【０００３】
ＨＳＤＰＡに用いられる主な無線チャネルには、ＨＳ−ＳＣＣＨ（High Speed-Shared Control Channel）、ＨＳ−ＰＤＳＣＨ（High Speed-Physical Downlink Shared Channel）、ＨＳ−ＤＰＣＣＨ（High Speed-Dedicated Physical Control Channel）がある。
ＨＳ−ＳＣＣＨ、ＨＳ−ＰＤＳＣＨは、双方とも下り方向（即ち、基地局から移動局への方向）の共通チャネルであり、ＨＳ−ＳＣＣＨは、ＨＳ−ＰＤＳＣＨにて送信するデータに関する各種パラメータを送信する制御チャネルである。各種パラメータとしては、例えば、どの変調方式を用いてＨＳ−ＰＤＳＣＨによりデータを送信するかを示す変調タイプ情報や、拡散符号の割当て数（コード数）、送信データに対して行なうレートマッチングのパターン等の情報が挙げられる。
【０００４】
一方、ＨＳ−ＤＰＣＣＨは、移動局から基地局への方向である上り方向の個別の制御チャネルであり、ＨＳ−ＰＤＳＣＨを介して受信したデータの受信可、否に応じてそれぞれＡＣＫ信号、ＮＡＣＫ信号を移動局が基地局に対して送信する場合に用いられる。なお、移動局がデータの受信に失敗した場合、例えば、受信したデータがＣＲＣ（Cyclic Redundancy Check）エラーである場合等は、ＮＡＣＫ信号が移動局から送信されるので、基地局は再送制御を実行することとなる。
【０００５】
その他、ＨＳ−ＤＰＣＣＨは、基地局からの受信信号の受信品質（例えばＳＩＲ：Signal to Interference Ratio）を測定した移動局が、その結果をＣＱＩ（Channel Quality Indicator）として基地局に送信するためにも用いられる。基地局は、受信したＣＱＩにより、下り方向の無線環境の良否を判断し、良好であれば、より高速にデータを送信可能な変調方式に切り換え、逆に良好でなければ、より低速にデータを送信する変調方式に切り換える（即ち、適応変調を行なう）。
【０００６】
・「チャネル構造」
次に、ＨＳＤＰＡにおけるチャネル構成について説明する。
図７は、ＨＳＤＰＡにおけるチャネル構成を示すための図である。なお、Ｗ−ＣＤＭＡは、符号分割多重方式を採用するため、各チャネルは符号により分離されている。
まず、説明していないチャネルについて簡単に説明する。
【０００７】
ＣＰＩＣＨ（Common Pilot Channel）、ＳＣＨ（Synchronization Channel）は、それぞれ下り方向の共通チャネルである。
ＣＰＩＣＨは、移動局においてチャネル推定、セルサーチ、同一セル内におけるほかの下り物理チャネルのタイミング基準として利用されるチャネルであり、いわゆるパイロット信号を送信するためのチャネルである。ＳＣＨは、厳密には、Ｐ−ＳＣＨ（Primary SCH）とＳ−ＳＣＨ（Secondary SCH）とがあり、各スロットの先頭の２５６チップでバースト状に送信されるチャネルである。なお、ＳＣＨは、３段階セルサーチを行なう移動局によって受信され、スロット同期、フレーム同期を確立するために用いられる。
【０００８】
次に、同じく図７を用いて、チャネルのタイミング関係について説明する。
図７に示すように、各チャネルは、１５個のスロット（各スロットは、２５６０チップ長相当）により１フレームを構成している。先に説明したように、ＣＰＩＣＨは他のチャネルの基準として用いられるため、ＳＣＨ及びＨＳ−ＳＣＣＨのフレームの先頭はＣＰＩＣＨのフレームの先頭と一致している。
【０００９】
ここで、ＨＳ−ＰＤＳＣＨのフレームの先頭は、ＨＳ−ＳＣＣＨ等に対して２スロット遅延しているが、移動局がＨＳ−ＳＣＣＨを介して変調方式情報を受信してから、受信した変調方式に対応する復調方式でＨＳ−ＰＤＳＣＨの復調を行なうことを可能にするためである。また、ＨＳ−ＳＣＣＨ、ＨＳ−ＰＤＳＣＨは、３スロットで１サブフレームを構成している。
【００１０】
ＨＳ−ＤＰＣＣＨは、上り方向のチャネルであり、その第１スロットは、ＨＳ−ＰＤＳＣＨの受信から約７．５スロット経過後に、ＨＳ−ＰＤＳＣＨの受信結果を示すＡＣＫ／ＮＡＣＫ信号を移動局から基地局に送信するために用いられる。また、第２、第３スロットは、適応変調制御のためのＣＱＩ情報を定期的に基地局にフィードバック送信するために用いられる。ここで、送信するＣＱＩ情報は、ＣＱＩ送信の４スロット前から１スロット前までの期間に測定した受信環境（例えば、ＣＰＩＣＨのＳＩＲ測定結果）に基づいて算出される。
【００１１】
ＨＳ−ＰＤＳＣＨの受信可否を通知するためのＡＣＫ、ＮＡＣＫ信号は、設定によって、複数回繰り返して行なうこともできる。
即ち、ＨＳ−ＳＣＣＨの第１サブフレームＡでＨＳ−ＰＤＳＣＨの送信予告を通知された移動局は、２スロット遅れのＨＳ−ＰＤＳＣＨ（第１サブフレームＥ）を復調、復号し、ＣＲＣチェックを行なってエラーの有無を検出する。
【００１２】
ここで、エラー無しと判定した場合は、ＨＳ−ＰＤＳＣＨの受信から約７．５スロット遅れのサブフレームの第１スロットにて、ＡＣＫ信号（図７のスロットＣ）を送信し、更に、１サブフレーム後の第１スロットにて、同じＡＣＫ信号（図７のスロットＤ）を繰り返して送信するのである。もちろん、エラーを検出した場合は、ＮＡＣＫ信号を繰り返して送信する。
【００１３】
このとき、受信結果を繰り返して送信しないようにすることもできるが、同じＡＣＫ信号、ＮＡＣＫ信号をＮ回（Ｎは自然数）繰り返して送信することで、ＡＣＫ信号、ＮＡＣＫ信号が基地局により確実に受信され、無用な再送制御が防止されることとなる。
ただし、ＡＣＫ信号、ＮＡＣＫ信号を次のサブフレームで繰り返して送信するため、同じ移動局宛てに、次のサブフレームＦを含め、後続するＮ個のサブフレームで、ＨＳ−ＰＤＳＣＨを送信してはならない。
【００１４】
これは、ＡＣＫ信号（図７のスロットＤ）が、ＨＳ−ＳＣＣＨの第１サブフレームＡに対応するＨＳ−ＰＤＳＣＨの第１サブフレームＥに関する受信結果（ＡＣＫ，ＮＡＣＫ信号）を繰り返して送信したものであるのか、ＨＳ−ＳＣＣＨの第２サブフレームＢに対応するＨＳ−ＰＤＳＣＨの第２サブフレームＦに関する受信結果（ＡＣＫ，ＮＡＣＫ信号）を最初に送信したものであるかの区別がつかなくなるのを防止するためである。
【００１５】
また、ＨＳＤＰＡ伝送方式を用いた通信システムは、送信電力制御（ＴＰＣ：Transmit Power Control）機能を有し、基地局と移動局との間で送信電力を制御することで、いわゆる遠近問題を解決している。
ここで、遠近問題とは次のような現象のことをいう。
一般的に、無線電波は、伝送距離が大きくなるほど減衰量も大きくなる。例えば、ＣＤＭＡ方式の通信システムでは、複数の移動局（ユーザ）が使用する周波数帯域が同一周波数帯域に混在しているため、基地局の直近に位置する移動局が送信する信号の送信電力が大きい場合は、前記移動局よりも遠方に位置する他の移動局からの送信信号が直近の移動局の送信信号から干渉を受け、移動局と基地局との間の送受信に影響するという現象が発生する。
【００１６】
そこで、ＣＤＭＡ方式の通信システム等では、通信品質を常時監視して、基地局からのＴＰＣコマンドビット（以下、単にＴＰＣコマンドあるいはＴＰＣビットということがある）を用いることにより、通信品質が悪い場合には遠方の移動局の送信電力を大きくする一方、例えば、通信品質が十分なレベルであり、且つ、送信電力が過剰である時には移動局の送信電力を小さくするといったＴＰＣを行なうことで遠近問題を防止している。
【００１７】
図８にＴＰＣビットのフレームフォーマットを示す。この図８において、下り方向（ダウンリンク、即ち、基地局から移動局方向）のＴＰＣビットは、ダウンリンクの個別物理チャネルであるＤＰＣＨ（Dedicated Physical Channel）の制御チャネル（ＤＰＣＣＨ：Dedicated Physical Control Channel）に、トランスポートチャネルのフォーマットを表示するためのＴＦＣＩ（Transport Format Combination Indicator）ビットとともにマッピングされており、１スロットあたり２５６０チップ時間のスロット内において、データチャネルであるＤＰＤＣＨ（Dedicated Physical Data Channel）と時間多重されている。したがって、１スロット＝２５６０チップ時間が高速ＴＰＣの周期となる。
【００１８】
そして、１フレームは、１５スロット（スロット＃０〜＃１４）から構成され、１０ｍｓ周期で当該フレームが連続して移動局へ向けて送信されることになる。
なお、図９にＤＰＤＣＨおよびＤＰＣＣＨが取る値を示す。この図９に示すように、１スロットには、４９通りのフォーマットが規定されており、それぞれ、チャネルビットレート、チャネルシンボルレート等が規定されているが、ＴＰＣビットのビット数（ＮTPC）については２，４，８，１６の４通りのいずれかになる。
【００１９】
次に、図１０に従来の基地局および移動局のＴＰＣ処理に係る構成を示す。この図１０において、２００−１，２００−２がそれぞれ基地局（Node-B#1，Node-B#2）を示し、２０１が移動局（ＵＥ：User Equipment）を示している。なお、基地局数はここでは２台としているが、勿論、３台以上存在する場合も同様である。また、基地局２００−１，２００−２を区別しない場合は、単に基地局２００と表記する。
【００２０】
この図１０に示す基地局２００−１，２００−２は、その要部に着目すると、例えば、マッチトフィルタ（Matched filter）２０２と、レイク合成器（Rake combiner）２０３と、ＳＩＲ測定部（SIR measurement after side diversity）２０４と、チャネル復号器（Channel decoder）２０５と、ブロックエラーレート（BLER）測定部（BLER measurement）２０６と、加算器２０７，２０９と、目標ＢＬＥＲ（Target BLER）メモリ２０８と、目標ＢＬＥＲ算出部（Target SIR）２１０と、ＴＰＣコマンド生成部（TPC command generator）２１１とをそれぞれそなえて構成される。
【００２１】
このような構成を有する基地局２００−１（２００−２）では、移動局２０１から送信された上り方向（アップリンク、即ち、移動局から基地局方向）の信号が図示しない受信アンテナを通じてマッチトフィルタ２０２に入力され、当該マッチトフィルタ２０２にて、逆拡散処理を施された後、レイク合成器２０３とＳＩＲ測定部２０４とに入力される。
レイク合成器２０３では、入力信号についてレイク合成処理を施し、その合成信号について、チャネル復号器２０５にて、チャネル復号処理が施される。そして、その復号データを基にＢＬＥＲ測定部２０６により受信信号のＢＬＥＲが測定され、その測定ＢＬＥＲと目標ＢＬＥＲメモリ２０８に記憶されている目標ＢＬＥＲとの差分が加算器２０７にて検出され、当該差分を基に目標ＳＩＲが目標ＳＩＲ算出部２１０にて算出される。
【００２２】
一方、ＳＩＲ測定部２０４では、マッチトフィルタ２０２からの入力信号を基にＳＩＲを測定し、その測定結果と、目標ＳＩＲ測定部２１０で求められた目標ＳＩＲとの差分が加算器２０９にて検出される。そして、その検出結果を基にＴＰＣコマンド生成部２１１にてＴＰＣコマンドが生成され、前述したごとくダウンリンクのＤＰＣＨのＤＰＣＣＨにて当該ＴＰＣコマンドが移動局２０１へ向けて送信される。
【００２３】
一方、図１０に示す移動局２０１は、その要部に着目すると、例えば、基地局２００−１，２００−２に対応したＴＰＣ処理部２０１−１，２０１−２と、加算器２２１と、チャネル復号器（Channel Decoder）２２２と、ＴＰＣコマンド合成部（TPC Command Combiner）２２５とをそなえて構成され、ＴＰＣ処理部２０１−１，２０１−２は、それぞれ、さらに、ＤＰＣＨ用のマッチトフィルタ２１２と、ＣＰＩＣＨ用のマッチトフィルタ２１３と、図示しない受信アンテナ（Antenna1，Antenna2）毎のチャネル推定部（Channel estimation）２１４，２１５と、乗算器２１６，２１７と、レイク合成器（RAKE combiner）２１８，２１９と、加算器２２０と、ＴＰＣシンボル軟判定部（TPC symbol Soft decision）２２３と、ＴＰＣコマンド判定（硬判定）部（TPC Command decision (Hard Decision)）２２４とをそなえて構成される。
【００２４】
かかる構成を有する移動局２０１では、複数の基地局２００−１，２００−２から送信された信号が図示しない受信アンテナを通じて各マッチトフィルタ２１２，２１３に入力され、それぞれ、ＤＰＣＨ又はＣＰＩＣＨのチャネライゼーションコードにより逆拡散処理されてＤＰＣＨ，ＣＰＩＣＨの信号が分離、抽出され、ＤＰＣＨの受信信号は各チャネル推定部２１４，２１５と各乗算器２１６，２１７とにそれぞれ入力される。
【００２５】
そして、各チャネル推定部２１４，２１５では、それぞれ、マッチトフィルタ２１３から入力されたＣＰＩＣＨの受信信号（パイロット信号）に基づきマッチトフィルタ２１２から入力されたＤＰＣＨの受信信号について所要の相関演算処理を施すことにより基地局２００−１，２００−２との間のアンテナ（Antenna1，Antenna2）毎のチャネル推定値を求め、当該チャネル推定値とＤＰＣＨ用のマッチトフィルタ２１２により得られたＤＰＣＨの受信信号とが乗算器２１６，２１７にて乗算されることによりチャネル補償処理が施される。
【００２６】
当該チャネル補償後の受信信号は、さらに、レイク合成器２１８，２１９に入力されて、レイク合成処理を施された後、加算器２２０にて加算（合成）され、他のＴＰＣ処理部２０１−２で上記と同様にして得られた信号（つまり、他の基地局からの受信信号）と加算器２２１にて加算（合成）された上で、チャネル復号器２２２にてチャネル復号されて、受信データが得られる。
【００２７】
また、加算器２２０により得られた合成信号は、ＴＰＣシンボル軟判定部２２３に入力され、当該ＴＰＣシンボル軟判定部２２３にて、軟判定処理を施された後、ＴＰＣコマンド判定部２２４にて、硬判定処理を施される。
ここで、ＤＰＣＣＨにマッピングされるＴＰＣビットは、スロットフォーマットに応じて複数ビット（２，４，８，１６のいずれかのビット数）で構成されるため、（図９参照）、ＴＰＣシンボル軟判定部２２３にて、スロットフォーマット判定がなされ（図１４のステップＳ２００）、複数のＴＰＣシンボルについて軟判定合成され（図１４のステップＳ２０１，Ｓ２０２）、これにより得られた各無線リンク（ＲＬ）（基地局２００−１，２００−２）からのＴＰＣコマンドがＴＰＣコマンド判定部２２４により硬判定合成される（図１４のステップＳ２０３）。
【００２８】
その結果、０よりも大きければ、ＴＰＣコマンド判定部２２４は、１（送信電力を上げる（ＵＰ））と決定し、０以下であれば、０（送信電力を下げる（ＤＯＷＮ））と決定する（図１４のステップＳ２０３，Ｓ２０４）。
上述のごとく各ＴＰＣ処理部２０１−１，２０１−２でそれぞれ検出された各ＲＬからのＴＰＣコマンドは、ＴＰＣコマンド合成部２２５にて合成され、全ＲＬ（図１４ではＲＬ＃ｉ（ｉ＝１〜ｎ））から受信したＴＰＣコマンドが全て１（送信電力を上げろ）の場合に送信電力を上げる制御を行ない（１を出力）、それ以外の場合（全ＲＬから受信したＴＰＣコマンドのうち１つでも０である場合）には送信電力を下げる（ＤＯＷＮ）制御を行なう（０を出力する）（図１４のステップＳ２０５，Ｓ２０６）。
【００２９】
・軟判定合成および硬判定合成
上述したように、ＴＰＣビットはＤＰＣＣＨにマッピングされ、スロットフォーマットに応じて２，４，８，１６ビットのいずれかになる。無線で送信した場合には、ＤＰＣＣＨは、Ｉ，Ｑマッピングされるため、ここでは例えば、ＱＰＳＫでＴＰＣビットが４ビットである場合について説明する。
【００３０】
基地局２００が、ＴＰＣビット（４ビット）「１１１１（ＵＰ）」を送信する場合、ＱＰＳＫでは、１シンボルで２ビット送信するため、図１１（ａ）に示すように、（１，１）のデータを２シンボル（Ｉ，Ｑ）で送信することになる。
ここで、軟判定合成では、ＴＰＣビットを０／１のみで判定せずに、アナログ的に判定する。
【００３１】
例えば、１シンボルＩ，Ｑ、２シンボルＩ，Ｑが、（０．５，０．８，−０．３，０．５）であると仮定する。
このとき受信側のＩ−Ｑコンスタレーションを見た場合は、図１１（ｂ）に示すようになる。これを、Ｉ，Ｑ成分にそれぞれ分解して各ビットの総和を求めることにより、軟判定合成を行なう。
【００３２】
この４ビットを軟判定合成する場合は、まず、次式（１）に示すように各ビットの総和を求める。
0.5+0.8-0.3+0.5=1.5  …（１）
そして、得られた総和（ここでは１．５）が０以上であるので、ＴＰＣコマンド（TPC_cmd）を１として電力増加（ＵＰ）要求であることを判定するのである。
【００３３】
これに対し、硬判定合成では、Ｉ，Ｑ成分のゼロ基準に対して上か下かで判定するため、上記のＴＰＣビットは、（１，１，０，１）となる。
即ち、硬判定合成では信号を１あるいは０のみで判定し、軟判定合成では０／１だけではなく、どの程度確からしいかの情報を基に判定を行なうのである。
従来のＴＰＣ処理方式においては、上述したごとく、１ＲＬ内ではＴＰＣビットを軟判定合成して、その軟判定合成結果を硬判定合成することにより、そのＲＬがＵＰ／ＤＯＷＮのどちらを通知しているかを決定する。そして、複数ＲＬ間の合成は、各ＲＬからのＴＰＣコマンドを基に、１つのＲＬでもＤＯＷＮを指示したら、移動局２０１は送信電力を下げるように動作する。
【００３４】
ここで、後記非特許文献１によると、以下の式（２）に示すように、複数の基地局から送信されるＴＰＣコマンドの合成方法に関するアルゴリズムが記載されている。
TPC_cmd = ( (W1, W2, … WN), where TPC_cmd can take the values 1 or -1.…（２）
このアルゴリズムでは、複数の基地局２００からのＴＰＣコマンドは同じ条件のもと（重み付けなし）で処理され、それぞれ対等に判断される。また、後記非特許文献２によると、図１２に示すように、その試験条件が規定されており、異なるＲＬ（基地局２００およびセル間）のＴＰＣコマンド合成時の精度について規定されている。
【００３５】
これらの仕様に基づいて、移動局２０１は、全ＲＬから受信したＴＰＣコマンドが１（送信電力を上げろ）である場合に送信電力を上げる制御を行ない、それ以外の場合（全ＲＬから受信したＴＰＣコマンドのうち１つでも０である場合）には送信電力を下げる制御を行なう。つまり、複数のＲＬから受信したＴＰＣコマンドに差異がある場合には送信電力を下げる制御を行なうのである。
【００３６】
即ち、前記式（２）におけるＷ1〜WN（Ｎは自然数）は、それぞれ１〜NのＲＬからのＴＰＣコマンドの軟判定合成による結果を表しており、関数γの値は、ＴＰＣコマンド（TPC_cmd）が相関なくランダムに０，１を示す場合に、全ＲＬからのTPC_cmdについて、TPC_cmdが１である割合が1／２N以上となる場合に１とし、TPC_cmdが０である割合が０．５（1／２）以上になる場合に０とする。また、TPC_cmdは、複数のＲＬからの全てのＴＰＣコマンドが１（送信電力を上げろ）の場合には１（電力増加）となり、ＲＬからのTPCコマンドが、いずれか１つでも０（送信電力を下げろ）であれば、−１（電力減少）となることを規定している。
【００３７】
例えば、図１３（ａ）に示すように、図１２中に示す“Ｔｅｓｔ１”（テストケース１）においては、干渉やフェージングのない静的（Static）環境で、セル１からのＴＰＣコマンドは（０，０，１，１）であり、セル２からのＴＰＣコマンドは（０，１，０，１）であるので、両者のＴＰＣコマンドがともに１のときだけ電力増加で、それ以外は電力減少させる制御を行なうことが規定されている。
【００３８】
また、図１３（ｂ）に示すように、図１２中に示す“Ｔｅｓｔ２”（テストケース２）においては、マルチパスフェージング環境化で、全ＲＬからのＴＰＣコマンドについて、ＴＰＣコマンドが１である割合が０．２５（２５％）以上の時に電力増加し、ＴＰＣコマンドが０である割合が０．５（５０％）以上の時に電力減少するように制御することが規定されている。
【００３９】
なお、後記特許文献１には、移動局から再送要求があった際に、その移動局での所要受信品質を満足しつつ基地局からの送信電力が所定値となる無線チャネルで前記再送要求のあった信号が送信されることから、基地局からの送信電力を前記所定値に設定することにより、基地局からの送信電力を最小に抑えて、前記再送要求の信号を受信しない他の移動局に対する干渉を低減することが開示されている。
【００４０】
また、後記特許文献２には、移動局や基地局の伝送電力レベルの増加量および減少量を現在のチャネル状況や前の電力制御コマンドの値を示す複数のファクター（経路，基地局数，位置，電力制御コマンド，干渉キャンセルのＯＮ／ＯＦＦのうち少なくとも３つ）の重み付け結合に基づいて決定することが開示されている。
さらに、後記特許文献３には、ＡＡＡ（Adaptive Array Antenna）システムにおいて指向性アンテナを適用した場合に、各移動局に向けた指向性ビームが干渉し合わないように送受信先の移動局を選択し、選択した移動局に無線リソースを割り当てることを目的として、指向性ビームを決定するために移動局で受信した品質情報にＳＩＲ等を利用することが開示されている。
【特許文献１】特開２００３−７８４８０号公報
【特許文献２】特表２００２−５３７７１２号公報
【特許文献３】特開２００３−２３５０７２号公報
【非特許文献１】3rd Generation Partnership Project; Technical Specification Group Radio Access Network; Physical layer procedures (FDD) (Release 6) (3GPP TS 25.214 V6.7.1 (2005-12))
【非特許文献２】3rd Generation Partnership Project; Technical Specification Group Radio Access Network; User Equipment (UE) radio transmission and reception (FDD) (Release 7) (3GPP TS 25.101 V7.2.0 (2005-12))
【発明の開示】
【発明が解決しようとする課題】
【００４１】
上述した従来技術によれば、複数の基地局からのＴＰＣコマンドは全て同一の条件で対等に比較され、最終的に１つのＴＰＣ結果が導き出されるが、その過程で、遠方の基地局から得られるＴＰＣコマンドは誤り率も大きく、移動局での受信結果が誤認識されることがある。つまり、遠方の基地局からの電力制御情報を誤認識する場合（送信電力ＵＰを送信電力ＤＯＷＮと誤認識する場合やまたその逆の場合）がある。
【００４２】
図１５は移動局と基地局の位置関係の一例を示す模式図である。この図１５では、例えば、基地局２００の数を３機（２００−１，２００−２，２００−３）とし、また、図１６に、これらの基地局２００−１〜２００−３から送信されるＴＰＣコマンド、移動局２０１側で受信されるＴＰＣコマンド、及び、このときの送信電力制御との関係を示す。ここでは、基地局２００−３と移動局２０１との間の距離が、他の基地局２００−１，２００−２と移動局２０１との間の距離よりも遠く、基地局２００−３からのＴＰＣコマンドの受信電力が低下している場合を例として説明する。
【００４３】
このとき、基地局２００−１，２００−２，２００−３の送信する本来のＴＰＣコマンドは、ＵＰ（送信電力を上げろ）であるが、基地局２００−３と移動局２０１との間の距離が大きいため、基地局２００−３からのＴＰＣコマンドがビット誤りにより移動局２０１で誤判定（基地局２００−３からのＴＰＣコマンドをＤＯＷＮとして認識）され、本来期待される送信電力制御（ＵＰ）と異なる送信電力制御（ＤＯＷＮ）が行なわれるのである。
【００４４】
このように、一般的に他の基地局よりも信頼度の低い遠方の基地局からのＴＰＣコマンドを、前記遠方の基地局よりも信頼度の高い他の基地局からのＴＰＣコマンドと同等（重み付けなし）に扱うことは、上述したような理由により電力制御の誤制御へと繋がる場合がある。即ち、上記誤判定により、移動局からの送信電力が過剰に増加した場合には、他セルに対して干渉が起こることとなり、また、移動局からの送信電力が必要以上に減少した場合には、上り信号を基地局に送信することができないことになる（これを上り同期外れという）。
【００４５】
したがって、上記のように、無線ネットワークの観点から、移動局における送信電力は、基地局が受信できて所望のエラーレート（Target BLER）を満足する範囲で最小の電力に制御されることが、無線リソースの浪費を抑えユーザ多重数の増大に貢献する。
本発明は、上記のような課題に鑑み創案されたもので、基地局から移動局へのＴＰＣコマンド（電力制御情報）の移動局での判定精度を向上させ、最適な送信電力を維持できるようにすることを目的とする。
【課題を解決するための手段】
【００４６】
（１）第１の案として、基地局装置から受信される電力制御情報に基づいて基地局装置への送信電力を制御する移動局装置であって、複数の前記基地局装置から受信された複数の前記電力制御情報を重み付け合成する重み付け合成手段と、前記重み付け合成手段による合成結果に基づいて基地局装置への送信電力を制御する送信電力制御手段と、前記複数の基地局装置からの受信品質を測定する受信品質測定手段とをそなえ、該重み付け合成手段が、前記複数の基地局装置のうち、該受信品質測定手段で測定された受信品質が最も高い基地局装置からの電力制御情報についての重み付け係数を他の基地局装置からの電力制御情報についての重み付け係数よりも高く設定する第１重み付け処理部と、該受信品質測定手段で測定された受信品質が高い基地局装置からの電力制御情報についての重み付け係数を前記受信品質の低い基地局装置からの電力制御情報についての重み付けよりも高く設定する第２重み付け処理部と、該受信品質測定手段で測定された受信品質のうち所定の閾値を超える基地局装置の数に応じて動作させる前記重み付け処理部を選択する選択部とをそなえて構成された、移動局装置を用いることができる。
【００４９】
（２）ここで、前記選択部は、前記閾値を超える基地局装置が１つである場合に前記第１重み付け処理部を選択し、前記閾値を超える基地局装置が２以上ある場合に前記第２重み付け処理部を選択すべく構成されてもよい。
（３）また、第２の案として、移動局装置において、基地局装置から受信される電力制御情報に基づいて前記基地局装置への送信電力を制御する送信電力制御方法であって、複数の前記基地局装置から受信された複数の前記電力制御情報を重み付け合成し、その合成結果に基づいて基地局装置への送信電力を制御し、前記複数の基地局装置からの受信品質を測定し、前記複数の基地局装置のうち、前記測定した受信品質が最も高い基地局装置からの電力制御情報についての重み付け係数を他の基地局装置からの電力制御情報についての重み付け係数よりも高く設定する第１重み付け処理モードと、前記測定した受信品質が高い基地局装置からの電力制御情報についての重み付け係数を前記受信品質の低い基地局装置からの電力制御情報についての重み付けよりも高く設定する第２重み付け処理モードとを、前記測定した受信品質のうち所定の閾値を超える基地局装置の数に応じて選択する、移動局装置における送信電力制御方法を用いることができる。
【００５２】
（４）ここで、前記閾値を超える基地局装置が１つである場合に前記第１重み付け処理モードを選択し、前記閾値を超える基地局装置が２以上ある場合に前記第２重み付け処理モードを選択してもよい。
（５）さらに、第３の案として、基地局装置から受信される電力制御情報に基づいて該基地局装置への送信電力を制御する移動局装置であって、複数の前記基地局装置から受信された複数の前記電力制御情報を重み付け合成する重み付け合成手段と、該重み付け合成手段による合成結果に基づいて該基地局装置への送信電力を制御する送信電力制御手段と、前記複数の基地局装置からの受信品質を測定する受信品質測定手段とをそなえ、該重み付け合成手段が、前記複数の基地局装置のうち、該受信品質測定手段で測定された受信品質が最も高い基地局装置からの電力制御情報についての重み付け係数を他の基地局装置からの電力制御情報についての重み付け係数よりも高く設定する第１重み付け処理部と、該受信品質測定手段で測定された受信品質が高い基地局装置からの電力制御情報についての重み付け係数を前記受信品質の低い基地局装置からの電力制御情報についての重み付けよりも高く設定する第２重み付け処理部と、該第１重み付け処理部で設定された重み付け係数と該第２重み付け処理部で設定された重み付け係数とを合成する重み付け係数合成部とをそなえて構成された、移動局装置を用いることができる。
（６）また、第４の案として、移動局装置において、基地局装置から受信される電力制御情報に基づいて該基地局装置への送信電力を制御する送信電力制御方法であって、複数の前記基地局装置から受信された複数の前記電力制御情報を重み付け合成し、その合成結果に基づいて該基地局装置への送信電力を制御し、前記複数の基地局装置からの受信品質を測定し、第１重み付け処理モードにおいて、前記複数の基地局装置のうち、前記測定した受信品質が最も高い基地局装置からの電力制御情報についての重み付け係数を他の基地局装置からの電力制御情報についての重み付け係数よりも高く設定するとともに、第２重み付け処理モードにおいて、前記測定した受信品質が高い基地局装置からの電力制御情報についての重み付け係数を前記受信品質の低い基地局装置からの電力制御情報についての重み付けよりも高く設定し、該第１重み付け処理モードにおいて設定された重み付け係数と該第２重み付け処理モードにおいて設定された重み付け係数とを合成する、移動局装置における送信電力制御方法を用いることができる。
【発明の効果】
【００５３】
上記本発明によれば、少なくとも次のいずれかの効果ないし利点が得られる。
（１）複数の基地局装置から送信された複数の電力制御情報を重み付け合成して、その合成結果に基づいて基地局装置への送信電力を制御するので、前記電力制御情報を誤認識し得る環境においても、電力制御情報の判定精度を向上させて、本来行なうべき送信電力制御を行なうことが可能となる。
【００５４】
（２）ここで、重み付け合成を行なう際、複数の基地局装置のうちいずれかの基地局装置（例えば、メインの通信相手）からの電力制御情報についての重み付け係数を他の基地局からの電力制御情報についての重み付け係数よりも高く設定するようにすれば、さらに確実に送信電力制御の誤制御を抑制することが可能となる。
（３）また、複数の基地局から送信される信号についての受信品質が高い基地局装置からの電力制御情報についての重み付け係数を前記受信品質の低い基地局装置からの電力制御情報についての重み付け係数よりも高く設定するようにすれば、実際の受信品質の測定結果に基づいて信頼度の高い基地局からの電力制御情報に基づいて送信電力制御を行なうことができ、送信電力制御の誤制御をさらに低減することができる。
【００５５】
（４）さらに、前記受信品質のうち所定の閾値を超える基地局装置の数に応じて上記（２）又は（３）の重み付け処理を選択するようにすれば、信頼度の高い基地局が多い場合（例えば、前記閾値を超える基地局装置が２以上の場合）や、信頼度の高い基地局が少ない場合（例えば、前記閾値を超える基地局装置が１つである場合）などの状況（無線環境）に応じて適切な重み付け処理を選択して行なうことができ、さらに確実に送信電力制御の誤制御を抑制することが可能となる。
【００５６】
（５）なお、前記（２）及び（３）に示す各重み付け係数を合成するようにすれば、例えば、移動局装置の移動中のハードハンドオーバ時の過渡状態などにおける送信電力制御を平準化することが可能となる。
（６）さらに、前記受信品質の測定結果に応じて前記重み付け合成の有効又は無効を制御するようにすれば、重み付け合成を行なう必要の無い場合（例えば、全ての基地局の受信品質が閾値を超える場合など）で重み付け合成を無効とすることもでき、重み付け合成処理の処理負荷を削減しつつ、移動局装置と基地局装置との位置関係（受信品質の関係）に応じて適切な送信電力制御を実現することが可能となる。
【発明を実施するための最良の形態】
【００５７】
以下、本発明の実施形態について、図面を用いて説明する。
〔Ａ〕一実施形態の説明
図１は、本発明の一実施形態に係る移動通信システムの構成を基地局装置及び移動局装置の要部の構成に着目して示すブロック図である。この図１では、２台の基地局装置１００−１，１００−２（Node-B#1，Node-B#2）と、１台の移動局装置（以下、単に「移動局」という）１とに着目しており、基地局装置（以下、単に「基地局」という）１００−１，１００−２（区別しない場合は、基地局１００と表記する）は、それぞれ、例えば、マッチトフィルタ（Matched filter）１０２と、レイク合成器（Rake combiner）１０３と、ＳＩＲ測定部（SIR measurement after side diversity）１０４と、チャネル復号器（Channel decoder）１０５と、ブロックエラーレート（ＢＬＥＲ）測定部（BLER measurement）１０６と、加算器１０７，１０９と、目標ＢＬＥＲ（Target BLER）メモリ１０８と、目標ＳＩＲ算出部（Target SIR）１１０と、ＴＰＣコマンド生成部（TPC command generator）１１１とをそれぞれそなえて構成される。
【００５８】
ここで、各基地局１００において、マッチトフィルタ１０２は、図示しない受信アンテナを通じて受信された移動局１からの上り信号（アップリンクの信号）について逆拡散処理を施すものであり、レイク合成器１０３は、このマッチトフィルタ１０２による逆拡散後の受信信号（マルチパスの信号）をレイク合成するものであり、チャネル復号器１０５は、当該レイク合成後の信号を復号（チャネル復号）するものであり、ＢＬＥＲ測定部１０６は、当該チャネル復号結果に基づいて受信信号のＢＬＥＲを測定するものである。
【００５９】
加算器（減算器）１０７は、このＢＬＥＲ測定部１０６で測定されたＢＬＥＲと目標ＢＬＥＲメモリ１０８に記憶されている目標ＢＬＥＲとの差分を検出するものであり、目標ＳＩＲ算出部１１０は、当該差分に基づいて目標ＳＩＲを算出するものである。
ＳＩＲ測定部１０４は、上記マッチトフィルタ１０２による逆拡散後の受信信号についてのＳＩＲを測定するものであり、加算器（減算器）１０９は、このＳＩＲ測定部１０４で測定されたＳＩＲと上記目標ＳＩＲ算出部１１０により得られた目標ＳＩＲとの差分を検出するものであり、ＴＰＣコマンド生成部１１１は、当該差分に基づいてＴＰＣコマンド（電力制御情報）を生成するものである。
【００６０】
このような構成を有する基地局１００−１（１００−２）では、移動局１から送信された上り方向（アップリンク、即ち、移動局から基地局方向）の信号が図示しない受信アンテナを通じてマッチトフィルタ１０２に入力され、当該マッチトフィルタ１０２にて、逆拡散処理を施された後、レイク合成器１０３とＳＩＲ測定部１０４とに入力される。
レイク合成器１０３は、入力信号についてレイク合成処理を施し、その合成信号について、チャネル復号器１０５にて、チャネル復号処理が施される。そして、その復号データを基にＢＬＥＲ測定部１０６により受信信号のＢＬＥＲが測定され、その測定ＢＬＥＲと目標ＢＬＥＲメモリ１０８に記憶されている目標ＢＬＥＲとの差分が加算器１０７にて検出され、当該差分を基に目標ＳＩＲが目標ＳＩＲ算出部１１０にて算出される。
【００６１】
一方、ＳＩＲ測定部１０４では、マッチトフィルタ１０２からの入力信号を基にＳＩＲを測定し、その測定結果と、目標ＳＩＲ算出部１１０で求められた目標ＳＩＲとの差分が加算器１０９にて検出される。そして、その検出結果を基にＴＰＣコマンド生成部１１１にてＴＰＣコマンドが生成され、前述したごとくダウンリンクのＤＰＣＨのＤＰＣＣＨにて当該ＴＰＣコマンドが移動局１へ向けて送信される。
【００６２】
一方、移動局１は、図１に示すように、例えば、基地局１００−１，１００−２に対応したＴＰＣ処理部１０１−１，１０１−２と、加算器１１２と、チャネル復号器（Channel Decoder）１１３と、乗算器１１４，１１５と、ＴＰＣコマンド合成部（TPC Command Combiner）１１６と、ＨＳチャネル受信処理部（HS Receiver）１１７と、ＴＰＣ重み付け係数生成部（TPC weight generation UNIT）１１８と、送信電力制御部（Power Control Unit）１３２とをそなえて構成される。なお、図１では、説明の都合上、基地局，ＴＰＣ処理部の数をそれぞれ２つとしているが、それぞれ３つ以上そなえていてもよい。
【００６３】
また、ＴＰＣ処理部１０１−１，１０１−２は、それぞれ、さらに、ＤＰＣＨ用のマッチトフィルタ１１９と、ＣＰＩＣＨ用のマッチトフィルタ１２０と、図示しない受信アンテナ（Antenna1，Antenna2）毎のチャネル推定部（Channel estimation）１２１，１２２と、乗算器１２３，１２４と、レイク合成器（RAKE combiner）１２５，１２６と、加算器１２７と、ＴＰＣシンボル軟判定部（TPC symbol Soft decision）１２８とをそなえて構成される。
【００６４】
さらに、ＨＳチャネル受信処理部１１７は、ＨＳ−ＳＣＣＨ復調／復号部（HS-SCCH Demodulator/Decoder）１２９と、ＨＳ−ＰＤＳＣＨ復調／復号部（HS-PDSCH Demodulator/Decoder）１３０と、サービングセル識別部（Serving/Non-Serving CELL IDENTIFICATION UNIT）１３１とをそなえて構成される。
ここで、各ＴＰＣ処理部１０１−１，１０１−２において、ＤＰＣＨ用のマッチトフィルタ１１９は、図示しない受信アンテナを通じて複数の基地局１００から受信された下り信号（ダウンリンクの信号）についてＤＰＣＨ用のチャネライゼーションコードにより逆拡散処理を施してＤＰＣＨの信号を分離、抽出するものであり、ＣＰＩＣＨ用のマッチトフィルタ１２０は、前記受信アンテナを通じて複数の基地局１００から受信した信号についてＣＰＩＣＨのチャネライゼーションコードにより逆拡散処理してＣＰＩＣＨの信号（つまり、パイロット信号）を分離、抽出するもので、ＤＰＣＨの受信信号は各チャネル推定部１２１，１２２と乗算器１２３，１２４とに入力され、ＣＰＩＣＨの受信信号（パイロット信号）は各チャネル推定部１２１，１２２に入力されるようになっている。
【００６５】
各チャネル推定部１２１，１２２は、それぞれ、ＣＰＩＣＨ用のマッチトフィルタ１２０から入力されたＣＰＩＣＨの受信信号（パイロット信号）に基づきＤＰＣＨ用のマッチトフィルタ１１９から入力されたＤＰＣＨの受信信号について所要の相関演算処理を施すことにより基地局１００との間のアンテナ（Antenna1，Antenna2）毎のチャネル推定値を求めるものである。
【００６６】
乗算器１２３，１２４は、それぞれ、前記チャネル推定値とＤＰＣＨ用のマッチトフィルタ１１９により得られたＤＰＣＨの受信信号とを合成（乗算）することにより、ＤＰＣＨの受信信号のチャネル補償処理を施すものである。
そして、レイク合成器１２５，１２６は、それぞれ、当該チャネル補償後の受信信号に対して、レイク合成処理を施すものであり、加算器１２７は、当該レイク合成処理後の信号を加算（合成）するものである。
【００６７】
さらに、加算器１１２は、各ＴＰＣ処理部１０１−１，１０１−２の上記加算器１２７で得られた信号（各基地局１００からの受信信号）を加算（合成）するものであり、チャネル復号器１１３は、当該加算器１１２からの信号をチャネル復号して、受信データを得るものである。
また、ＴＰＣシンボル軟判定部１２８は、加算器１２７により得られた合成信号に対して軟判定合成処理を施して、ＴＰＣコマンドを生成するものである。
【００６８】
一方、ＨＳチャネル受信処理部１１７において、ＨＳ−ＳＣＣＨ復調／復号部１２９は、前記受信アンテナを通じて受信した下り信号のＨＳ−ＳＣＣＨを復調及び復号するものであり、ＨＳ−ＰＤＳＣＨ復調／復号部１３０は、前記受信アンテナを通じて受信した下り信号のＨＳ−ＰＤＳＣＨを復調及び復号するものである。
なお、ＨＳ−ＳＣＣＨ及びＨＳ−ＰＤＳＣＨの信号が受信（復調、復号）されたということは、当該ＨＳ−ＳＣＣＨ及びＨＳ−ＰＤＳＣＨの信号を受信している基地局１００がメインの通信相手、換言すれば、各基地局１００のうち最も受信品質に関して信頼性の高い基地局１００（これをサービングセルという）であることを意味している。また、上記ＨＳ−ＳＣＣＨ復調／復号部１２９は、基地局１００からの信号について受信品質（ＳＩＲ値）を測定する機能も具備しており、受信品質測定手段として機能することができるようになっている。
【００６９】
サービングセル識別部１３１は、ＨＳ−ＳＣＣＨ復調／復号部１２９で復調及び復号されたデータの有無を判定することにより、当該基地局１００がサービングセルであるかどうかを識別するものであり、例えば、ＨＳ−ＳＣＣＨ復調／復号部１２９からのデータが有ると判定した場合は、当該基地局１００をサービングセルとして識別し、ＨＳ−ＳＣＣＨ復調／復号部１２９からのデータが無いと判定した場合には、当該基地局１００はサービングセルでないと識別するものである。
【００７０】
そして、ＴＰＣ重み付け係数生成部１１８は、ＴＰＣシンボル軟判定部１２８による軟判定合成処理結果及びサービングセル識別部１３１での識別結果を含む情報に基づいて重み付け係数生成処理を行なうものであり、乗算器１１４，１１５は、このＴＰＣ重み付け係数生成部１１８にて生成された重み付け係数（図１中ではα１及びα２）と、各ＴＰＣ処理部１０１−１，１０１−２のＴＰＣシンボル軟判定部１２８からの軟判定合成処理結果とをそれぞれ合成（乗算）するものである。なお、重み付け係数の生成処理の詳細については後述する。
【００７１】
ＴＰＣコマンド合成部１１６は、乗算器１１４，１１５から出力される重み付けされたＴＰＣコマンドについて、合成（加算）処理を行なうとともに、当該合成結果に基づいてＴＰＣコマンド（ΔTPC）を送信電力制御部１３２へと出力するものである。例えば、得
られた合成結果が０よりも大きい場合は送信電力を上げる制御信号が、それ以外の場合（当該合成結果が０以下である場合）は送信電力を下げる制御信号を移動局１の送信電力制御部１３２へと供給するようになっている。
【００７２】
つまり、上記のＴＰＣ重み付け係数生成部１１８，乗算器１１４，１１５及びＴＰＣコマンド合成部１１６は、それぞれが協働することにより、複数の基地局１００から受信された複数のＴＰＣコマンドを重み付け合成する重み付け合成手段として機能するものである。
送信電力制御部（送信電力制御手段）１３２は、ＴＰＣコマンド合成部１１６から出力されるＴＰＣコマンド（ΔTPC）に基づいて、移動局１での送信電力制御を行なうもので
あり、例えば、当該ＴＰＣコマンドが１である場合に送信電力を上げる制御を行ない、また、当該ＴＰＣコマンドが０である場合に送信電力を下げる制御を行なうものである。
【００７３】
ここで、図２に上記ＴＰＣ重み付け係数生成部１１８の内部構成を示してその動作を説明する。
この図２において、ＴＰＣ重み付け係数生成部１１８は、重み付け要素平均化部（Weight Factor Averaging）１３３と、重み付け係数計算処理部（Weight Calculation Processor）１３４とをそなえて構成される。
【００７４】
ここで、重み付け要素平均化部１３３は、ＴＰＣシンボル軟判定部１２８から出力されるＴＰＣコマンドの軟判定合成処理結果（Soft Combining Result）、及び、各基地局１００との間のダウンリンクでのＳＩＲ測定結果（SIR measurement Result）（前記ＨＳ−ＳＣＣＨ復調／復号部１２９で測定された結果）のそれぞれについて、所定の時間だけ平均化して単位時間当たりの平均値を算出するものである。
【００７５】
また、重み付け係数計算処理部１３４は、この重み付け要素平均化部１３３にて平均化された前記軟判定合成処理結果及び前記ＳＩＲ測定結果、並びに、サービングセル識別部１３１からのＳＩＲ要素ＯＮ／ＯＦＦ設定信号（SIR Factor ON/OFF），サービングセル判定ＯＮ／ＯＦＦ設定信号（Serving Cell Detection ON/OFF）及びハンドオーバ状態設定信号（HandOver Status）などの各種設定信号に基づいて重み付け係数（図２中のWeight 1（α１），Weight 2（α２））を生成するものである。なお、前記ハンドオーバ状態信号は、ハンドオーバが発生しているかどうかの状態を表わす制御信号である。
【００７６】
かかる構成を有するＴＰＣ重み付け係数生成部１１８では、重み付け要素平均化部１３３での上記平均化により、前記軟判定合成処理結果及び前記ＳＩＲ測定結果に現れ得るノイズなどの不要信号が低減される。そして、重み付け係数計算処理部１３４が、当該重み付け要素平均化部１３３からの出力と上記各種設定信号とに基づいて重み付け係数を生成することによって様々な通信状況に適したＴＰＣ重み付け係数の生成を可能としている。
【００７７】
ここで、例えば図３に示すように、前記サービングセル判定ＯＮ／ＯＦＦ設定信号は、通信相手がサービングセルであることに基づいた重み付け処理を行なうかどうかを設定するための制御信号であり、前記サービングセル識別部１３１において、サービングセルであると識別された場合はＯＮ（１）となり、サービングセルでないと識別された場合はＯＦＦ（０）となる。
【００７８】
つまり、上記のサービングセル識別部１３１と重み付け係数計算処理部１３４とが協働することにより、複数の基地局１００のうちいずれかの基地局１００（例えば、サービングセル）からのＴＰＣコマンドに対する重み付け係数を他の基地局１００からのＴＰＣコマンドに対する重み付け係数よりも高く設定する第１重み付け処理部としての機能が実現されている。
【００７９】
また、前記ＳＩＲ要素ＯＮ／ＯＦＦ設定信号は、ＳＩＲ値に基づいた重み付け処理を行なうかどうかを設定するための制御信号である。このＳＩＲ要素ＯＮ／ＯＦＦ設定信号は、例えば、前記ＨＳ−ＳＣＣＨ復調／復号部１２９にて測定された各基地局１００からの信号についてのＳＩＲ値が、前記ＨＳチャネル受信処理部１１７に内蔵のメモリ等の記憶装置（図示省略）に予め設定された閾値よりも大きい場合はＯＮとなり、閾値以下の場合はＯＦＦとなるのである。
【００８０】
つまり、上記の重み付け係数計算処理部１３４は、複数の基地局１００についてのＳＩＲ要素ＯＮ／ＯＦＦ設定信号のＯＮ状態に応じてＳＩＲ値に基づいた重み付け処理を行なうようになっている。即ち、前記重み付け係数計算処理部１３４は、ＨＳ−ＳＣＣＨ復調／復号部１２９で測定された受信品質（ＳＩＲ値）が高い信号を送信する基地局１００からのＴＰＣコマンドに対する重み付け係数を前記ＳＩＲ値の低い信号を送信する基地局１００からのＴＰＣコマンドに対する重み付け係数よりも高く設定する第２重み付け処理部としても機能する。
【００８１】
さらに、上記の重み付け係数計算処理部１３４は、複数の基地局１００についてのＳＩＲ要素ＯＮ／ＯＦＦ設定信号のＯＮ状態をカウントするカウント機能を有し、当該カウント数が、ＨＳチャネル受信処理部１１７に内蔵のメモリ等の記憶装置（図示省略）に予め設定された所定値（例えば２）以上である場合は前記ＳＩＲ値に基づいた重み付け処理（第２重み付け処理部の動作モード）を選択して動作する。一方、上記カウント数が、所定値よりも小さい場合は複数の基地局１００のうちいずれかの基地局１００（例えば、サービングセル）からのＴＰＣコマンドに対する重み付け係数を他の基地局１００からのＴＰＣコマンドに対する重み付け係数よりも高く設定する動作（第１重み付け処理部の動作モード）を選択することもできる。
【００８２】
つまり、上記の重み付け係数計算処理部１３４は、ＨＳ−ＳＣＣＨ復調／復号部１２９で測定されたＳＩＲ値のうち所定の閾値を超える基地局１００の数に応じて動作させる前記重み付け処理部（第１重み付け処理部あるいは第２重み付け処理部）を選択する選択部としての機能も具備している。
また、上記の重み付け係数計算処理部１３４は、複数の基地局１００のうちいずれかの基地局１００（例えば、サービングセル）からのＴＰＣコマンドに対する重み付け係数を他の基地局１００からのＴＰＣコマンドに対する重み付け係数よりも高く設定するとともに、ＨＳ−ＳＣＣＨ復調／復号部１２９で測定された受信品質（ＳＩＲ値）が高い信号を送信する基地局１００からのＴＰＣコマンドに対する重み付け係数を前記ＳＩＲ値の低い信号を送信する基地局１００からのＴＰＣコマンドに対する重み付け係数よりも高く設定することもできるようになっている。
【００８３】
したがって、上記の重み付け係数計算処理部１３４は、前記第１重み付け処理部で設定された重み付け係数と前記第２重み付け処理部で設定された重み付け係数とを合成する重み付け係数合成部としても機能するものである。
さらに、上記の重み付け係数計算処理部１３４は、例えば、上記ＨＳ−ＳＣＣＨ復調／復号部１２９で測定された複数の基地局１００が送信する信号についての各ＳＩＲ値が全て前記閾値よりも大きいような場合は各基地局１００からのＴＰＣコマンドに対する重み付け係数を一律１とすることで、あたかも重み付け処理を行なわないかのようにもできる。
【００８４】
つまり、上記の重み付け係数計算処理部１３４は、ＨＳ−ＳＣＣＨ復調／復号部１２９で測定されたＳＩＲ値に応じて上記重み付け合成処理の有効又は無効を制御する重み付け合成制御手段として機能するようにもなっている。
以下、上述のごとく構成された本実施形態の移動局１での動作について、図４に示すフローチャートを用いて説明する。
【００８５】
まず、移動局１では、複数の基地局１００から送信された信号が図示しない受信アンテナを通じて各マッチトフィルタ１１９，１２０に入力され、それぞれ、ＤＰＣＨ又はＣＰＩＣＨのチャネライゼーションコードにより逆拡散処理されてＤＰＣＨ，ＣＰＩＣＨの信号が分離、抽出され、ＤＰＣＨの受信信号は各チャネル推定部１２１，１２２と各乗算器１２３，１２４とにそれぞれ入力され、ＣＰＩＣＨの受信信号は各チャネル推定部１２１，１２２に入力される。
【００８６】
そして、各チャネル推定部１２１，１２２では、それぞれ、マッチトフィルタ１２０から入力されたＣＰＩＣＨの受信信号（パイロット信号）に基づきマッチトフィルタ１１９から入力されたＤＰＣＨの受信信号について所要の相関演算処理を施すことにより基地局１００−１，１００−２との間のアンテナ（Antenna1，Antenna2）毎のチャネル推定値を求め、当該チャネル推定値とＤＰＣＨ用のマッチトフィルタ１１９により得られたＤＰＣＨの受信信号とが乗算器１２３，１２４にて乗算されることによりチャネル補償処理が施される。
【００８７】
当該チャネル補償後の受信信号は、さらに、レイク合成器１２５，１２６に入力されて、レイク合成処理を施された後、加算器１２７にて加算（合成）され、他のＴＰＣ処理部１０１−２で上記と同様にして得られた信号（つまり、他の基地局１００からの受信信号）と加算器１１２にて加算（合成）された上で、チャネル復号器１１３にてチャネル復号されて、受信データが得られる。
【００８８】
また、加算器１２７により得られた合成信号は、ＴＰＣシンボル軟判定部１２８に入力され、当該ＴＰＣシンボル軟判定部１２８にて、軟判定合成処理を施される。
さらに、ＴＰＣシンボル軟判定部１２８にて、スロットフォーマット判定がなされるとともに（図４のステップＳ１００）、複数のＴＰＣシンボルについて軟判定合成され（図４のステップＳ１０１，Ｓ１０２）、これにより得られた各無線リンク（ＲＬ＃１〜＃ｎ：ｎは２以上の整数で基地局数に対応する）からのＴＰＣコマンドが軟判定合成処理結果として出力される（図４のステップＳ１０３）。
【００８９】
一方、基地局１００から送信された信号は、ＨＳ−ＳＣＣＨ復調／復号部１２９，ＨＳ−ＰＤＳＣＨ復調／復号部１３０にも入力されて、ＨＳ−ＳＣＣＨ復調／復号部１２９により、ＨＳ−ＳＣＣＨ信号の復調／復号処理が行なわれ（図４のステップＳ１０４）、次いで、サービングセル識別部１３１により、当該基地局１００がサービングセルであるかどうかが判定される（図４のステップＳ１０５）。例えば、サービングセルでなければ０が、サービングセルであれば１がそれぞれ判定（識別）結果として出力される。なお、ＨＳ−ＳＣＣＨ復調／復号部１２９では、基地局１００から受信される信号についてのＳＩＲ値（ｄＢ）の測定処理も行なわれる（図４のステップＳ１０６）。
【００９０】
その後、ＴＰＣ重み付け係数生成部１１８が、上記ステップＳ１０５において判定された結果（当該基地局１００がサービングセルであるかどうか）及び上記ステップＳ１０６における測定結果（ＳＩＲ値）に基づいて、ＳＩＲ要素ＯＮ／ＯＦＦ設定信号及びサービングセル判定ＯＮ／ＯＦＦ設定信号の値（ＯＮまたはＯＦＦ）を設定する（図４のステップＳ１０７，Ｓ１０８）。
【００９１】
次いで、重み付け係数計算処理部１３４により、上記ＳＩＲ要素ＯＮ／ＯＦＦ設定信号及びサービングセル判定ＯＮ／ＯＦＦ設定信号の値と、ＨＳ−ＳＣＣＨ復調／復号部１２９により測定された上記ＳＩＲ値などとに基づいて重み付け係数〔Weight1（α１），Weight2（α２）〕が生成される（図４のステップＳ１０９）。
そして、生成された上記重み付け係数は、乗算器１１４，１１５により、ＴＰＣシンボル軟判定部１２８から出力される軟判定合成処理結果と乗算されて、ＴＰＣコマンド合成部１１６に入力される。ＴＰＣコマンド合成部１１６は、このように重み付け係数を乗じられて重み付けされた各ＲＬ＃ｉ（ｉ＝１〜ｎ）についての軟判定合成処理結果をさらに合成（加算）して（図４のステップＳ１１０）、制御信号ΔTPCを生成する。
【００９２】
即ち、ＴＰＣコマンド合成部１１６は、上記ステップＳ１１０での合成結果が０よりも大きい場合は移動局１での送信電力を上げるための制御信号（ΔTPC＝１）を生成し、０
以下の場合は移動局１での送信電力を下げるための制御信号（ΔTPC＝０）を生成し（図
４のステップＳ１１１，Ｓ１１２）、送信電力制御部１３２へ出力するのである。
【００９３】
これにより、送信電力制御部１３２は、ＴＰＣコマンド合成部１１６からの上記制御信号（ΔTPC）に従って、移動局１での送信電力を実際に制御する（図４のステップＳ１１
３）。
次に、上述した各種設定信号とそれに基づいた重み付け係数生成処理のパターンを示した図３を用いて、重み付け係数計算処理部１３４の動作を具体的に説明する。
【００９４】
この図３に示すように、本例では、例えば、ＳＩＲ要素ＯＮ／ＯＦＦ設定信号及びサービングセル判定ＯＮ／ＯＦＦ設定信号のＯＮ／ＯＦＦのパターンにより以下に説明するＭＯＤＥ１〜ＭＯＤＥ４の４つのモードが存在し、ＴＰＣ重み付け係数生成部１１８が、上記各種設定信号などに基づいて上記のモードを切り換えることにより、様々な重み付け係数生成処理を行なうことを可能としている。
【００９５】
（１）ＭＯＤＥ１について
ＭＯＤＥ１は、ＳＩＲ要素ＯＮ／ＯＦＦ設定信号及びサービングセル判定ＯＮ／ＯＦＦ設定信号がともにＯＦＦの状態のときの重み付け係数計算処理部１３４の動作モードである。
本ＭＯＤＥ１において、重み付け係数計算処理部１３４は、各基地局１００から受信する信号のＳＩＲ値（受信品質測定結果）や、当該基地局１００がサービングセルであるか否かの識別結果には依存せず、ＴＰＣ重み付け係数生成部１１８に内蔵のメモリ等の記憶装置（図示省略）に予め設定された所定値をＴＰＣ重み付け係数として出力する。ここでは、例えば、基地局１００−１，１００−２からの軟判定合成結果に付加されるＴＰＣ重み付け係数α１，α２としてそれぞれＷ１，Ｗ２が設定されているものとする。
【００９６】
従って、各ＴＰＣ処理部１０１−１，１０１−２のＴＰＣシンボル軟判定部１２８で得られた軟判定合成処理結果をそれぞれＰ１，Ｐ２とすると、本ＭＯＤＥ１による重み付け処理が行なわれた場合の軟判定合成処理結果は、Ｐ１×Ｗ１＋Ｐ２×Ｗ２となる。
本ＭＯＤＥ１におけるＴＰＣ重み付け係数Ｗ１，Ｗ２の値はユーザが自由に設定することができ、例えば、基地局１００−１と移動局１との間の距離が、基地局１００−２と移動局１との間の距離よりも大きく、移動局１における基地局１００−１との通信品質が、基地局１００−２との通信品質よりも劣っている傾向にあることが予め判明しているような場合は、基地局１００−１から送信されたＴＰＣコマンドの移動局１での軟判定合成結果に乗じるＴＰＣ重み付け係数Ｗ１を、基地局１００−２から送信されたＴＰＣコマンドの移動局１での軟判定合成結果に乗じるＴＰＣ重み付け係数Ｗ２よりも小さく設定する。
【００９７】
これにより、信頼度の低い基地局１００−１からのＴＰＣコマンドのビット誤り等の影響を小さくできるので、信頼性の高い送信電力制御を行なうことが可能となる。
また、例えば、全ての基地局１００−１，１００−２との通信品質の信頼度が高いことが予め分かっているような場合には、Ｗ１，Ｗ２をともに１に設定することであたかも重み付け処理を行なわないような送信電力制御を行なうこともできる。この場合、重み付け処理の簡素化及び高速化を図ることも可能となる。
【００９８】
ここで、図５（ａ）、図５（ｂ）を用いて上記の重み付け処理による効果を具体的に説明する。
図５（ａ）は重み付け処理を施される前の各基地局１００（ＲＬ＃１，ＲＬ＃２，ＲＬ＃３）（つまり、ここでは、基地局数を３としている）からのＴＰＣコマンドの大きさ、及び、それらの合成（加算）結果の一例を示す図である。
【００９９】
この図５（ａ）に示す例では、ＲＬ＃１からのＴＰＣコマンド値を「＋２」、ＲＬ＃２からのＴＰＣコマンド値を「＋１」、ＲＬ＃３からのＴＰＣコマンド値を「−４」とし、ＲＬ＃３からのＴＰＣコマンドが移動局１において誤認識されている状態を示している。
このような場合、各基地局１００（ＲＬ＃１〜ＲＬ＃３）からのＴＰＣコマンドの軟判定合成結果は、（＋２）＋（＋１）＋（−４）＝−１となり、合成結果が０以下であるので、送信電力を下げる制御が行なわれてしまう。
【０１００】
これに対して、本例の重み付け処理を施される場合の各基地局１００からのＴＰＣコマンドの大きさ、各ＴＰＣコマンド値にそれぞれ乗じられる重み付け係数Ｗ１，Ｗ２，Ｗ３、及び、重み付け処理後のＴＰＣコマンドの合成（加算）結果の一例を図５（ｂ）に示す。
この図５（ｂ）に示す例においても、図５（ａ）に示した例と同様、ＲＬ＃１からのＴＰＣコマンド値を「＋２」、ＲＬ＃２からのＴＰＣコマンド値を「＋１」、ＲＬ＃３からのＴＰＣコマンド値を「−４」としている。そして、例えば、各ＲＬ＃１，＃２，＃３に対する重み付け係数をそれぞれ、Ｗ１＝１．０、Ｗ２＝０．５、Ｗ３＝０．５とする。即ち、ＲＬ＃１の通信品質が他のＲＬ＃２，ＲＬ＃３よりも高いことが予め判明している場合の重み付け処理を想定している。
【０１０１】
このような場合、各ＲＬ＃１〜＃３からのＴＰＣコマンドの軟判定合成処理結果は、（＋２）×（１．０）＋（＋１）×（０．５）＋（−４）×（０．５）＝０．５となり、合成結果が０よりも大きいので、送信電力を上げる制御が行なわれることになる。したがって、移動局１から基地局１００へ（上り方向）の送信電力を上げる（ＵＰ）ように、本来の正常な送信電力制御を行なうことが可能となる。
【０１０２】
（２）ＭＯＤＥ２について
ＭＯＤＥ２は、図３に示すように、ＳＩＲ要素ＯＮ／ＯＦＦ設定信号がＯＦＦであり、且つ、サービングセル判定ＯＮ／ＯＦＦ設定信号がＯＮの状態のときの重み付け係数計算処理部１３４の動作モードであり、本モードにおいて、重み付け係数計算処理部１３４は、通信相手の基地局１００がサービングセルであるか否かに基づいてＴＰＣ重み付け係数を生成する。
【０１０３】
ここでは、基地局１００−１（ＲＬ＃１）がサービングセルである場合を例として、サービングセルから受信するＴＰＣコマンドに対する重み付け係数（サービングセル重み付け係数）をβ（Serving Cell Weight Ratio）としている。なお、サービングセルでない他の基地局１００に対する重み付け係数は、ＭＯＤＥ１のときと同様に、ＴＰＣ重み付け係数生成部１１８に内蔵のメモリ等の記憶装置（図示省略）に予め設定された所定値をＴＰＣ重み付け係数（ここでは、Ｗ２）として出力する。
【０１０４】
従って、基地局ＲＬ＃１，ＲＬ＃２からの軟判定合成処理結果をそれぞれＰ１，Ｐ２とし、また、ＲＬ＃１がサービングセルである場合、本ＭＯＤＥ２による重み付け処理が行なわれた場合の軟判定合成処理結果は、Ｐ１×β＋Ｐ２×Ｗ２となる。
ここで、βの値には、他の重み付け係数Ｗ２よりも大きい値が設定される（例えば、Ｗ２を０．２とし、βを１．２などと設定する）。なぜなら、サービングセルであるＲＬ＃１の通信品質は、他のＲＬの通信品質よりも一般的に優れており、ＲＬ＃１から受信されるＴＰＣコマンドが、移動局１おいて誤認識される可能性は極めて低いからである。
【０１０５】
また、サービングセルであるＲＬ＃１の通信品質が、他のＲＬ（例えば、ＲＬ＃２）よりも低くなってしまった場合でも、当該他のＲＬ＃２へのハンドオーバ処理がなされることにより、ＲＬ＃２が新たなサービングセルとなるので、常に、信頼性の高いＲＬからのＴＰＣコマンドに、他のＲＬに対する重み付け係数よりも大きな値の重み付け係数βを設定することができる。
【０１０６】
したがって、例えば、サービングセルとの通信をメインとするようなパケット通信が主に行なわれるような状況においては、本ＭＯＤＥ２による動作モードが選択される（ＳＩＲ要素ＯＮ／ＯＦＦ設定信号がＯＦＦ、且つ、サービングセル判定ＯＮ／ＯＦＦ設定信号がＯＮ）ことにより、移動局１での送信電力制御をさらに正確かつ安定して行なうことが可能となる。
【０１０７】
（３）ＭＯＤＥ３について
移動局１と基地局１００との間で主にパケット通信が主に行なわれるような状況においては、ＨＳＤＰＡでは、サービングセルとなる基地局１００は１つであるので、上述のＭＯＤＥ２の動作モードを選択することにより、送信電力制御を確実に行なうことが可能となるが、音声呼のサービス（パケット通信と音声呼通信の双方が行なわれるテレビ電話のようなサービスも含む）が行なわれるような状況においては、複数の基地局１００からの信号を合成受信する場合もある。
【０１０８】
この場合、サービングセルではない他の基地局１００からのＴＰＣコマンドを信頼して送信電力制御を行なう必要がある場合もある。このような状況において、上記ＭＯＤＥ２を選択した場合には、サービングセルではない他の基地局１００が、「電力を下げろ（ＤＯＷＮ）」と指示した場合でも、重み付けが低く設定されているために、移動局１の送信電力制御がその指示に追従せず、高い電力を送信し続けることが考えられる。
【０１０９】
そこで、本ＭＯＤＥ３では、各基地局１００から送信される信号についての移動局１でのＳＩＲ測定結果に基づいて重み付け係数を生成する。
即ち、本モード（ＭＯＤＥ３）は、図３に示すように、ＳＩＲ要素ＯＮ／ＯＦＦ設定信号がＯＮであり、且つ、サービングセル判定ＯＮ／ＯＦＦ設定信号がＯＦＦの状態のときの重み付け係数計算処理部１３４の動作モードであり、本ＭＯＤＥ３において、重み付け係数計算処理部１３４は、通信相手の基地局１００との間のダウンリンクの受信品質（ＳＩＲ測定結果）に基づいてＴＰＣ重み付け係数を生成する。
【０１１０】
ここでは、例えば図３中に示すように、基地局１００−１（ＲＬ＃１）からの信号のＳＩＲ測定結果Ｓ１に合成（乗算）するＳＩＲ重み付け率（SIR Weight Ratio）としてγ１、また、基地局１００−２（ＲＬ＃２）からの信号のＳＩＲ測定結果Ｓ２に合成（乗算）するＳＩＲ重み付け率としてγ２が設定されている。なお、ＳＩＲ重み付け率γ１，γ２は、ＳＩＲ測定結果Ｓ１，Ｓ２を重み付け係数に変換するために用いられる係数であり、本ＭＯＤＥ３では、例えば、γ１＝γ２とする。
【０１１１】
つまり、ＲＬ＃１，ＲＬ＃２からの軟判定合成処理結果をそれぞれＰ１，Ｐ２とすると、本ＭＯＤＥ３による重み付け処理が行なわれた場合の軟判定合成処理結果は、Ｐ１×（Ｓ１×γ１）＋Ｐ２×（Ｓ２×γ２）となる。
ここで、図６（ａ）、図６（ｂ）を用いて上記の重み付け処理による効果を具体的に説明する。
【０１１２】
図６（ａ）は重み付け処理を施される前の各基地局１００（ＲＬ＃１，ＲＬ＃２，ＲＬ＃３）（つまり、本例でも、基地局数を３としている）からのＴＰＣコマンドの大きさ、及び、それらの合成（加算）結果の一例を示す図である。
この図６（ａ）に示す例では、ＲＬ＃１からのＴＰＣコマンド値を「＋２」、ＲＬ＃２からのＴＰＣコマンド値を「＋１」、ＲＬ＃３からのＴＰＣコマンド値を「−４」とし、ＲＬ＃３からのＴＰＣコマンドが移動局において誤認識されている状態を示している。
【０１１３】
このような場合、ＲＬ＃１〜＃３からのＴＰＣコマンドの軟判定合成結果は、（＋２）＋（＋１）＋（−４）＝−１となり、合成結果が０以下であるので、送信電力を下げる制御が行なわれてしまう。
これに対して、本ＭＯＤＥ３による重み付け処理を行なった場合の各ＲＬ＃１，ＲＬ＃２，ＲＬ＃３からのＴＰＣコマンドの大きさ、各ＲＬ＃１，ＲＬ＃２，ＲＬ＃３のＳＩＲ測定結果Ｓ１，Ｓ２，Ｓ３、各ＳＩＲ測定結果に対するＳＩＲ重み付け率γ１，γ２，γ３、及び、重み付け処理後のＴＰＣコマンドの合成（加算）結果を図６（ｂ）に示す。
【０１１４】
この図６（ｂ）に示す例においても、図６（ａ）に示した例と同様、ＲＬ＃１からのＴＰＣコマンド値を「＋２」、ＲＬ＃２からのＴＰＣコマンド値を「＋１」、ＲＬ＃３からのＴＰＣコマンド値を「−４」としている。そして、さらに、各ＲＬ＃１，ＲＬ＃２，ＲＬ＃３のＳＩＲ測定結果をそれぞれ、Ｓ１＝１０ｄＢ，Ｓ２＝７ｄＢ，Ｓ３＝２ｄＢとし、また、各ＳＩＲ測定結果に付されるＳＩＲ重み付け率を、γ１＝γ２＝γ３＝０．１とする。
【０１１５】
このような場合、各ＲＬ＃１，ＲＬ＃２，ＲＬ＃３からのＴＰＣコマンドの軟判定合成結果は、（＋２）×（１０×０．１）＋（＋１）×（７×０．１）＋（−４）×（２×０．１）＝１．９となり、合成結果が０よりも大きいので、送信電力を上げる制御が行なわれることとなり、移動局１から基地局１００へ（上り方向）の送信電力を上げる（ＵＰ）ように、本来の正常な送信電力制御を行なうことが可能となる。
【０１１６】
なお、上記のγ１〜γ３の値は、例えば、ＴＰＣ重み付け係数生成部１１８に内蔵のメモリ等の記憶装置（図示省略）にＳＩＲ−重み付け係数の変換テーブルとして記憶されているが、他にも例えば、ＳＩＲ値とＴＰＣビット誤り率により対応付けするなどの方法が考えられる。
例えば、ＳＩＲ値とＴＰＣビット誤り率により対応付けする場合では、ＳＩＲ＝２ｄＢの時のＴＰＣビット誤り率が８０％であったとするならば、正しいＴＰＣコマンド結果が受信できるのは、０から１の分布において０．２として重み付け係数を生成するのである。
【０１１７】
また、本ＭＯＤＥ３では、ＴＰＣ重み付け係数生成部１１８が、前記選択部としての機能により、各基地局１００のＳＩＲ測定結果に応じてＭＯＤＥ２選択時の重み付け係数計算処理部１３４の動作と、ＭＯＤＥ３選択時の重み付け係数計算処理部１３４の動作とを選択的に切り替えて実行することもできる。
例えば、重み付け係数計算処理部１３４が、各基地局１００のＳＩＲ測定結果のうち所定の閾値（受信品質）を超えるＳＩＲを有する基地局数をカウントし、その数が１つであるような場合には、ＭＯＤＥ２を選択することにより最もＳＩＲの高い基地局（サービングセル）からのＴＰＣコマンドのみの重み付け係数を大きくし、前記所定の閾値（受信品質）を超えるＳＩＲを有する基地局数が２以上の場合などには、ＭＯＤＥ３を選択して重み付け係数を生成する。
【０１１８】
これにより、例えば、各基地局１００のＳＩＲ測定結果のうち、ただ１つの基地局１００からのＳＩＲ測定結果のみが良好であり、その基地局１００以外の基地局１００とは疎通が困難であるような場合（例えば、音声呼のように複数基地局１００からの信号を合成受信可能なサービスの場合）には、ＭＯＤＥ３により決定した重み付け係数による送信電力制御が有効であり、一方、各基地局１００のＳＩＲ測定結果のうち全てが良好で、一様に均衡する場合などは、ＭＯＤＥ２により算出した重み付け係数による送信電力制御が有効であるため、上述のようにＭＯＤＥ２，３を切り換えて選択して重み付け係数計算処理部１３４を動作させることで、送信電力制御のさらなる安定動作を図ることが可能となる。
【０１１９】
また、各基地局１００のＳＩＲ測定結果が、全てある閾値（例えば、サービングセルにおけるＳＩＲと同レベル）以上の高いレベルである場合には、移動局１において基地局１００からのＴＰＣコマンドを誤認識する可能性は極めて低く、このような場合には、重み付け係数計算処理部１３４は、前述した重み付け合成手段としての機能により、重み付け処理を行なうことなく、ＴＰＣコマンドを合成して送信電力制御を行なうことでも正常な送信電力制御を実現することができ、各基地局１００からのＴＰＣコマンドに付す重み付け係数を全て１とすることで、あたかも重み付け処理を行なわないようにすることもできる。これにより、重み付け合成処理の処理負荷を削減しつつ、移動局１と基地局１００との位置関係（受信品質の関係）に応じて適切な送信電力制御を実現することが可能となる。
【０１２０】
（４）ＭＯＤＥ４について
本ＭＯＤＥ４は、上記ＭＯＤＥ２を選択時の重み付け係数計算処理部１３４の動作と、上記ＭＯＤＥ３を選択時の重み付け係数計算処理部１３４の動作とを併用して重み付け係数を決定するモードに相当する。
即ち、本ＭＯＤＥ４は、図３中に示すように、ＳＩＲ要素ＯＮ／ＯＦＦ設定信号がＯＮであり、且つ、サービングセル判定ＯＮ／ＯＦＦ設定信号がＯＮの状態のときの重み付け係数計算処理部１３４の動作モードであり、本ＭＯＤＥ４において、重み付け係数計算処理部１３４は、通信相手の基地局１００との受信品質（ＳＩＲ測定結果）と、通信相手の基地局１００がサービングセルであるかどうかの識別結果とに依存してＴＰＣ重み付け係数を生成する。
【０１２１】
即ち、サービングセル重み付け係数をβ、ＲＬ＃１，ＲＬ＃２のＳＩＲ測定結果Ｓ１，Ｓ２に付すＳＩＲ重み付け率をそれぞれγ１、γ２とし、さらに、ＲＬ＃１，ＲＬ＃２からの軟判定合成処理結果をそれぞれＰ１，Ｐ２とすると、本ＭＯＤＥ４による重み付け処理が行なわれた場合の軟判定合成処理結果は、Ｐ１×｛β×（Ｓ１×γ１）｝＋Ｐ２×（Ｓ２×γ２）となる。
【０１２２】
ここで、前述の図６（ｂ）を再度用いて上記の重み付け処理による効果を具体的に説明する。
図６（ｂ）に示す例において、ＲＬ＃１がサービングセルである場合の本ＭＯＤＥ４による重み付け合成処理について説明する。例えば、ＲＬ＃１，ＲＬ＃２，ＲＬ＃３のＳＩＲ測定結果をそれぞれ、Ｓ１＝１０ｄＢ，Ｓ２＝７ｄＢ，Ｓ３＝２ｄＢとし、また、各ＳＩＲ測定結果に付されるＳＩＲ重み付け率を、γ１＝γ２＝γ３＝０．１とし、さらに、サービングセル重み付け係数を、β＝１．０とする。
【０１２３】
このような場合、各ＲＬ＃１，ＲＬ＃２，ＲＬ＃３からのＴＰＣコマンドの軟判定合成結果は、（＋２）×｛１．０×（１０×０．１）｝＋（＋１）×（７×０．１）＋（−４）×（２×０．１）＝１．９となり、合成結果が０よりも大きいので、送信電力を上げる制御が行なわれることとなり、移動局１から基地局１００へ（上り方向）の送信電力を上げる（ＵＰ）ように、本来の正常な送信電力制御を行なうことが可能となる。
【０１２４】
上記の例では、サービングセル重み付け係数をβ＝１．０と設定したため、前記ＭＯＤＥ３でのＴＰＣコマンド重み付け合成結果と同じ結果が得られたが、βをさらに大きく設定する（例えば、β＝１．５に設定する）ことにより、重み付け合成処理において、サービングセルからのＴＰＣコマンドによる送信電力制御に対する影響を更に大きくすることができる。したがって、より安定した正常な送信電力制御を行なうことが可能となり、また、移動中のハードハンドオーバ時の過渡状態などにおける送信電力制御を平準化することも可能となる。
【０１２５】
上述したように、本実施形態にかかる移動局装置及び送信電力制御方法によれば、基地局から移動局へのＴＰＣコマンド（電力制御情報）の移動局での判定精度を向上させ、最適な送信電力を維持できる。
なお、上記の移動局１は、必ずしも上述した各種機能をすべて具備している必要はない。例えば、上述したＭＯＤＥ１〜４の機能を全てそなえる必要はなく、その場合には、各ＭＯＤＥで使用されない機能を図１及び図２の構成から削除すれば良い。
【０１２６】
以上、本発明の一実施形態について詳細に説明したが、本発明は上記の実施形態に限定されるものではなく、本発明の趣旨を逸脱しない範囲において任意に変形して実施することができる。
〔Ｂ〕付記
（付記１）
基地局装置から受信される電力制御情報に基づいて該基地局装置への送信電力を制御する移動局装置であって、
複数の前記基地局装置から受信された複数の前記電力制御情報を重み付け合成する重み付け合成手段と、
該重み付け合成手段による合成結果に基づいて該基地局装置への送信電力を制御する送信電力制御手段とをそなえたことを特徴とする、移動局装置。
【０１２７】
（付記２）
該重み付け合成手段が、
前記複数の基地局装置のうちいずれかの基地局装置からの電力制御情報についての重み付け係数を他の基地局装置からの電力制御情報についての重み付け係数よりも高く設定する第１重み付け処理部をそなえて構成されたことを特徴とする、付記１記載の移動局装置。
【０１２８】
（付記３）
前記複数の基地局装置からの受信品質を測定する受信品質測定手段をさらにそなえるとともに、
該重み付け合成手段が、
該受信品質測定手段で測定された受信品質が高い基地局装置からの電力制御情報についての重み付け係数を前記受信品質の低い基地局装置からの電力制御情報についての重み付けよりも高く設定する第２重み付け処理部をそなえて構成されたことを特徴とする、付記１記載の移動局装置。
【０１２９】
（付記４）
前記複数の基地局装置からの受信品質を測定する受信品質測定手段をさらにそなえるとともに、
該重み付け合成手段が、
前記複数の基地局装置のうちいずれかの基地局装置からの電力制御情報についての重み付け係数を他の基地局装置からの電力制御情報についての重み付け係数よりも高く設定する第１重み付け処理部と、
該受信品質測定手段で測定された受信品質が高い基地局装置からの電力制御情報についての重み付け係数を前記受信品質の低い基地局装置からの電力制御情報についての重み付けよりも高く設定する第２重み付け処理部と、
該受信品質測定手段で測定された受信品質のうち所定の閾値を超える基地局装置の数に応じて動作させる前記重み付け処理部を選択する選択部とをそなえて構成されたことを特徴とする、付記１記載の移動局装置。
【０１３０】
（付記５）
該選択部が、
前記閾値を超える基地局装置が１つである場合に該第１重み付け処理部を選択し、前記閾値を超える基地局装置が２以上ある場合に該第２重み付け処理部を選択すべく構成されたことを特徴とする、付記４記載の移動局装置。
【０１３１】
（付記６）
前記複数の基地局装置からの受信品質を測定する受信品質測定手段をさらにそなえるとともに、
該重み付け合成手段が、
前記複数の基地局装置のうちいずれかの基地局装置からの電力制御情報についての重み付け係数を他の基地局装置からの電力制御情報についての重み付け係数よりも高く設定する第１重み付け処理部と、
該受信品質測定手段で測定された受信品質が高い基地局装置からの電力制御情報についての重み付け係数を前記受信品質の低い基地局装置からの電力制御情報についての重み付けよりも高く設定する第２重み付け処理部と、
該第１重み付け処理部で設定された重み付け係数と該第２重み付け処理部で設定された重み付け係数とを合成する重み付け係数合成部とをそなえて構成されたことを特徴とする、付記１記載の移動局装置。
【０１３２】
（付記７）
前記複数の基地局装置からの受信品質を測定する受信品質測定手段と、
該受信品質測定手段での測定結果に応じて該重み付け合成手段による前記重み付け合成の有効又は無効を制御する重み付け合成制御手段とをさらにそなえたことを特徴とする、付記１〜６のいずれか１項に記載の移動局装置。
【０１３３】
（付記８）
移動局装置において、基地局装置から受信される電力制御情報に基づいて該基地局装置への送信電力を制御する送信電力制御方法であって、
複数の前記基地局装置から受信された複数の前記電力制御情報を重み付け合成し、
その合成結果に基づいて該基地局装置への送信電力を制御することを特徴とする、移動局装置における送信電力制御方法。
【０１３４】
（付記９）
該移動局装置が、
前記複数の基地局装置のうちいずれかの基地局装置からの電力制御情報についての重み付け係数を他の基地局装置からの電力制御情報についての重み付け係数よりも高く設定することを特徴とする、付記８記載の移動局装置における送信電力制御方法。
【０１３５】
（付記１０）
前記複数の基地局装置からの受信品質を測定し、
測定した受信品質が高い基地局装置からの電力制御情報についての重み付け係数を前記受信品質の低い基地局装置からの電力制御情報についての重み付けよりも高く設定することを特徴とする、付記８記載の移動局装置における送信電力制御方法。
【０１３６】
（付記１１）
前記複数の基地局装置からの受信品質を測定し、
前記複数の基地局装置のうちいずれかの基地局装置からの電力制御情報についての重み付け係数を他の基地局装置からの電力制御情報についての重み付け係数よりも高く設定する第１重み付け処理モードと、前記測定した受信品質が高い基地局装置からの電力制御情報についての重み付け係数を前記受信品質の低い基地局装置からの電力制御情報についての重み付けよりも高く設定する第２重み付け処理モードとを、前記測定した受信品質のうち所定の閾値を超える基地局装置の数に応じて選択することを特徴とする、付記８記載の移動局装置における送信電力制御方法。
【０１３７】
（付記１２）
前記閾値を超える基地局装置が１つである場合に該第１重み付け処理モードを選択し、前記閾値を超える基地局装置が２以上ある場合に該第２重み付け処理モードを選択することを特徴とする、付記１１記載の移動局装置における送信電力制御方法。
（付記１３）
前記複数の基地局装置からの受信品質を測定し、
第１重み付け処理モードにおいて、前記複数の基地局装置のうちいずれかの基地局装置からの電力制御情報についての重み付け係数を他の基地局装置からの電力制御情報についての重み付け係数よりも高く設定するとともに、第２重み付け処理モードにおいて、前記測定した受信品質が高い基地局装置からの電力制御情報についての重み付け係数を前記受信品質の低い基地局装置からの電力制御情報についての重み付けよりも高く設定し、
該第１重み付け処理モードにおいて設定された重み付け係数と該第２重み付け処理モードにおいて設定された重み付け係数とを合成することを特徴とする、付記８記載の移動局装置における送信電力制御方法。
【０１３８】
（付記１４）
前記複数の基地局装置からの受信品質を測定し、
その測定結果に応じて前記重み付け合成の有効又は無効を制御することを特徴とする、付記８〜１３のいずれか１項に記載の移動局装置における送信電力制御方法。
【図面の簡単な説明】
【０１３９】
【図１】本発明の一実施形態に係る移動通信システムの構成を基地局装置及び移動局装置の要部の構成に着目して示すブロック図である。
【図２】図１に示すＴＰＣ重み付け係数生成部の構成を示すブロック図である。
【図３】本実施形態に係る重み付け係数生成パターン（ＭＯＤＥ）の一例を示す図である。
【図４】図１に示す移動局装置の動作（送信電力制御方法）を説明するためのフローチャートである。
【図５】（ａ）は本実施形態に係る重み付け処理を施す前の軟判定合成結果の一例を示す図であり、（ｂ）は本実施形態に係る重み付け処理を施した後の軟判定合成結果の一例を示す図である。
【図６】（ａ）は本実施形態に係る重み付け処理を施す前の軟判定合成結果の一例を示す図であり、（ｂ）は本実施形態に係る重み付け処理を施した後の軟判定合成結果の一例を示す図である。
【図７】ＨＳＤＰＡにおけるチャネル構成を示す図である。
【図８】ＴＰＣビットのフレームフォーマットを示す図である。
【図９】ＤＰＤＣＨ及びＤＰＣＣＨの値を示す図である。
【図１０】従来の基地局及び移動局のＴＰＣ処理に係る構成を示すブロック図である。
【図１１】（ａ）はＴＰＣシンボル値の一例を示す図であり、（ｂ）はその受信側Ｉ−Ｑコンスタレーションを示す図である。
【図１２】ＨＳＤＰＡにおけるＴＰＣコマンドのテスト環境での各パラメータを示す図である。
【図１３】（ａ）は図１２に示すテストケース１における送信電力制御規定を示す図であり、（ｂ）は図１２に示すテストケース２における送信電力制御規定を示す図である。
【図１４】従来の送信電力制御方法を説明するためのフローチャートである。
【図１５】移動局と基地局との位置関係の一例を示す図である。
【図１６】移動局側でＴＰＣコマンドの誤認識が起こった場合の送信電力制御を説明するための図である。
【符号の説明】
【０１４０】
１  移動局装置
１００、１００−１、１００−２  基地局装置
１０１−１，１０１−２  ＴＰＣ処理部
１０２  マッチトフィルタ（Matched filter）
１０３、１２５、１２６  レイク合成器（Rake combiner）
１０４  ＳＩＲ測定部（SIR measurement after side diversity）
１０５  チャネル復号器（Channel decoder）
１０６  ブロックエラーレート（ＢＬＥＲ）測定部（BLER measurement）
１０７、１０９、１１２、１２７  加算器
１０８  目標ＢＬＥＲ（Target BLER）メモリ
１１０  目標ＳＩＲ算出部（Target SIR）
１１１  ＴＰＣコマンド生成部（TPC command generator）
１１３  チャネル復号器（Channel decoder）
１１４、１１５、１２３、１２４  乗算器
１１６  ＴＰＣコマンド合成部（TPC Command Combiner）
１１７  ＨＳチャネル受信処理部（HS Receiver）
１１８  ＴＰＣ重み付け係数生成部（TPC weight generation UNIT）
１１９  ＤＰＣＨ用のマッチトフィルタ
１２０  ＣＰＩＣＨ用のマッチトフィルタ
１２１、１２２  チャネル推定部（Channel estimation）
１２８  ＴＰＣシンボル軟判定部（TPC symbol Soft decision）
１２９  ＨＳ−ＳＣＣＨ復調／復号部（HS-SCCH Demodulator/Decoder）
１３０  ＨＳ−ＰＤＳＣＨ復調／復号部（HS-PDSCH Demodulator/Decoder）
１３１  サービングセル識別部（Serving/Non-Serving CELL IDENTIFICATION UNIT）
１３２  送信電力制御部（Power Control Unit）
１３３  重み付け要素平均化部（Weight Factor Averaging）
１３４  重み付け係数計算処理部（Weight Calculation Processor）
【図１】
0004684124.tif 000002
【図２】
0004684124.tif 000003
【図３】
0004684124.tif 000004
【図４】
0004684124.tif 000005
【図５】
0004684124.tif 000006
【図６】
0004684124.tif 000007
【図７】
0004684124.tif 000008
【図８】
0004684124.tif 000009
【図９】
0004684124.tif 000010
【図１０】
0004684124.tif 000011
【図１１】
0004684124.tif 000012
【図１２】
0004684124.tif 000013
【図１３】
0004684124.tif 000014
【図１４】
0004684124.tif 000015
【図１５】
0004684124.tif 000016
【図１６】
0004684124.tif 000017